(57)【要約】【課題】電波吸収性能に悪影響を与えないと共にアンカーの腐食を防止する。【解決手段】プレキャストコンクリートパネルに打ち込まれ、電波吸収パネル３および外装材２を取り付けるためのアンカー１であって、該アンカーを樹脂製とした。例えば、アンカー１は、取付部１ａと、取付部の両側に立設された立設部１ｂと、立設部の側面から延びる係止部１ｃと、前記取付部に固定されるアンカーボルト４を備える。【選択図】図１
2005139754.tif 000002
【特許請求の範囲】
【請求項１】
プレキャストコンクリートパネルに打ち込まれ、電波吸収パネルおよび外装材を取り付けるためのアンカーであって、該アンカーを樹脂製としたことを特徴とするＰＣ打ち込み外装材用アンカー。
【請求項２】
前記アンカーは、取付部と、取付部の両側に立設された立設部と、立設部の側面から延びる係止部と、前記取付部に固定されるアンカーボルトを備えることを特徴とする請求項１記載のＰＣ打ち込み外装材用アンカー。
【請求項３】
前記アンカーは、全体として円柱のピン形状で、上下端部が大径の大径部と、大径部から中央部に向けて断面が次第に縮小する小径部を有することを特徴とする請求項１記載のＰＣ打ち込み外装材用アンカー。
【発明の詳細な説明】
【技術分野】
【０００１】
本発明は、ＰＣ（プレキャストコンクリート）打ち込み外装材用アンカーに関する。
【背景技術】
【０００２】
従来、プレキャストコンクリートパネルに打ち込まれるタイルや石材などの外装材を保持するためのアンカーは金属製であった（例えば、特許文献１参照）。
【特許文献１】特開平１０−２３１５２２号公報
【発明の開示】
【発明が解決しようとする課題】
【０００３】
しかしながら、プレキャストコンクリートパネルに電波吸収性能を持たせる際にパネル断面内に金属材料が配置されていると、外部から侵入してくる電波を反射してしまい、フェライトなどの電波吸収材料が本来の性能を発揮できず、パネル全体として電波吸収性能が低下するという問題を有している。また、外装材に何らかの不具合があった場合にプレキャストコンクリートとの間に水が侵入しアンカーが腐食してしまうという懸念もある。
【０００４】
本発明は、上記従来の問題を解決するものであって、電波吸収性能に悪影響を与えないと共にアンカーの腐食を防止することができるＰＣ打ち込み外装材用アンカーを提供することを目的とする。
【課題を解決するための手段】
【０００５】
そのために、本発明のＰＣ打ち込み外装材用アンカーは、プレキャストコンクリートパネルに打ち込まれ、電波吸収パネルおよび外装材を取り付けるためのアンカーであって、該アンカーを樹脂製としたことを特徴とする。
また、前記アンカーは、取付部と、取付部の両側に立設された立設部と、立設部の側面から延びる係止部と、前記取付部に固定されるアンカーボルトを備えることを特徴とする。
また、前記アンカーは、全体として円柱のピン形状で、上下端部が大径の大径部と、大径部から中央部に向けて断面が次第に縮小する小径部を有することを特徴とする。
【発明の効果】
【０００６】
本発明によれば、従来は困難であった石材やタイルを打ち込んだ意匠性の高い電波吸収性能を有するプレキャストコンクリートパネルを実現できる。また、アンカーの腐食を防止することができ、意匠性の高いプレキャストコンクリートパネルの耐久性を向上させることができる。
【発明を実施するための最良の形態】
【０００７】
以下、本発明の実施の形態を図面に基づいて説明する。図１は、本発明のＰＣ打ち込み外装材用アンカーの１実施形態を示し、図（Ａ）は正面図、図（Ｂ）は側面図、図（Ｃ）は平面図、図２および図３は図１のアンカーを用いたプレキャストコンクリートパネルを示し、図２（Ａ）は断面図、図２（Ｂ）は一部平面図、図３は図２（Ａ）の拡大図である。
【０００８】
本実施形態のアンカー１は、図１（Ａ）〜図１（Ｃ）に示すように、取付部１ａと、取付部１ａの両側に立設された立設部１ｂと、立設部１ｂの側面から水平に延びる係止部１ｃとからなり、取付部１ａにはボルト穴１ｄが形成されている。
【０００９】
アンカー１は、ＦＲＰ（ガラス繊維強化樹脂）製の引き抜き成形材を所定の幅Ｘで切断して作成される。このとき、幅Ｘを３０ｍｍ以上とすることにより、コンクリートに打ち込まれたアンカーボルトを引っ張ったときの最大荷重が４００ｋｇ以上になるようにしている。これは、アンカー１の係止部１ｃの働きによる。
【００１０】
図２および図３に示すように、図示しない型枠内に外装材２を配置し、外装材２上に電波吸収パネル３を設置し、電波吸収パネル３の内部複数箇所にアンカー１を載置し、外装材２に形成されたボルト孔にアンカーボルト４をねじ込み外装材２を接着剤で固定した後、型枠内にコンクリート５を打設し、プレキャストコンクリートパネル６を製造する。これによりアンカー１、アンカーボルト４および外装材２はコンクリート５により強固に固定される。
【００１１】
アンカーボルト４は、ポリカーボネート等の樹脂からなり、電波吸収パネル３は、外装材２裏面にスペーサ３ｂにより所定の間隔で電波吸収用フェライト３ｃが配設され、その裏面に電波反射用鉄板３ａが設けられている。
【００１２】
図４は、本発明のＰＣ打ち込み外装材用アンカーの他の実施形態を示し、図（Ａ）は平面図、図（Ｂ）は正面図、図（Ｃ）は製造方法を説明するための図、図（Ｄ）は外装材に取り付けた状態を示す断面図、図５は図４のアンカーを用いたプレキャストコンクリートパネルを示し、図（Ａ）は断面図、図（Ｂ）は一部平面図である。
【００１３】
本実施形態のアンカー７は、図４（Ａ）、図４（Ｂ）に示すように、全体として円柱のピン形状で、上下端部が大径の大径部７ａと、大径部７ａから中央部に向けて断面が次第に縮小する小径部７ｂを有している。アンカー７は、図４（Ｃ）に示すように、ＦＲＰ（ガラス繊維強化樹脂）製の未硬化の引き抜き棒材８の一部を切り出し、両端に力を加えて上下端を拡径して製造する。
【００１４】
図４（Ｄ）および図５に示すように、図示しない型枠内に外装材２を配置し、外装材２上に電波吸収パネル３を設置し、電波吸収パネル３同士の隙間の複数箇所にアンカー７を載置し、外装材２に形成されたボルト孔にアンカーボルト４をねじ込み外装材２を接着剤で固定した後、型枠内にコンクリート５を打設し、プレキャストコンクリートパネル６を製造する。
【００１５】
電波吸収パネル３は、外装材２裏面にスペーサ３ｂにより所定の間隔で電波吸収用フェライト３ｃが配設され、その裏面に電波反射用鉄板３ａが設けられている。
【００１６】
図６は、本発明の本発明のＰＣ打ち込み外装材用アンカーの他の実施形態を示す断面図である。本実施形態においては、アンカー９は、ポリカーボネート等の樹脂からなるアンカーボルトであり、このアンカーボルトにより、図５と同様に外装材２を固定している。
【図面の簡単な説明】
【００１７】
【図１】本発明のＰＣ打ち込み外装材用アンカーの１実施形態を示し、図（Ａ）は正面図、図（Ｂ）は側面図、図（Ｃ）は平面図である。
【図２】図１のアンカーを用いたプレキャストコンクリートパネルを示し、図２（Ａ）は断面図、図２（Ｂ）は一部平面図である。
【図３】図２（Ａ）の拡大図である。
【図４】本発明のＰＣ打ち込み外装材用アンカーの他の実施形態を示し、図（Ａ）は平面図、図（Ｂ）は正面図、図（Ｃ）は製造方法を説明するための図、図（Ｄ）は外装材に取り付けた状態を示す断面図である。
【図５】図４のアンカーを用いたプレキャストコンクリートパネルを示し、図（Ａ）は断面図、図（Ｂ）は一部平面図である。
【図６】本発明の本発明のＰＣ打ち込み外装材用アンカーの他の実施形態を示す断面図である。
【符号の説明】
【００１８】
１、７、９…アンカー、１ａ…取付部、１ｂ…立設部、１ｃ…係止部
２…外装材、３…電波吸収パネル、４…アンカーボルト、５…コンクリート
【図１】
2005139754.tif 000003
【図２】
2005139754.tif 000004
【図３】
2005139754.tif 000005
【図４】
2005139754.tif 000006
【図５】
2005139754.tif 000007
【図６】
2005139754.tif 000008